【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
装置本体と、
前記装置本体内に位置する内側位置と、前記装置本体外に位置する外側位置との間を移動可能なドロワと、
感光ドラムと、前記感光ドラムをクリーニングするためのクリーニング部材と、前記クリーニング部材によって前記感光ドラムから除去された廃トナーを搬送するための廃トナー搬送管と、を備えるドラムカートリッジと、
前記感光ドラムを露光して潜像を形成する露光器と、
前記感光ドラムに形成された前記潜像をトナーで現像してトナー像を形成する現像ローラを有するトナー収容器であって、前記現像ローラに供給されるトナーを収容可能なトナー収容器と、前記廃トナーを収容可能な廃トナー収容器とを備える現像カートリッジと、
前記感光ドラムから印刷媒体に転写されたトナー像を定着させる定着器であって、前記ドラムカートリッジが前記ドロワに装着され、前記ドロワが前記内側位置に位置する状態で、前記感光ドラムの上方に間隔を隔てて位置する定着器と、
を備え、
前記クリーニング部材は、前記ドラムカートリッジが前記ドロワに装着され、前記ドロワが前記内側位置に位置する状態で、上下方向において、前記感光ドラムと前記定着器との間に位置し、
前記トナー収容器は、前記廃トナー収容器に対して揺動可能に連結されていることにより、前記廃トナー収容器と前記廃トナー搬送管とが連結された状態で、前記感光ドラムに対して移動可能であることを特徴とする、画像形成装置。
【請求項２】
前記廃トナー搬送管は、前記感光ドラムの回転軸が延びる軸線方向に延びる円筒形状を有し、
前記現像カートリッジは、前記廃トナー搬送管について回動することを特徴とする、請求項１に記載の画像形成装置。
【請求項３】
前記廃トナー収容器は、
前記トナー収容器を揺動可能に支持するシャフトを備え、
前記ドラムカートリッジは、
前記シャフトをガイドするガイドであって、前記廃トナー搬送管の下方を通って前記現像カートリッジの回動方向に延びるガイドを有することを特徴とする、請求項２に記載の画像形成装置。
【請求項４】
前記廃トナー搬送管は、
前記廃トナーを排出する排出口を有し、前記排出口を閉鎖する閉位置と前記排出口を開放する開位置との間を前記回動方向に移動可能なシャッターを備え、
前記シャッターは、切欠きを有し、
前記廃トナー収容器は、前記シャッターの前記切欠きに嵌まる突起を有し、
前記シャッターは、前記突起が前記切欠きに嵌まることにより、前記廃トナー収容器とともに前記閉位置から前記開位置へ移動することを特徴とする、請求項３に記載の画像形成装置。
【請求項５】
前記廃トナー搬送管は、前記感光ドラムの回転軸が延びる軸線方向と交差する方向に延びる円筒形状を有し、
前記廃トナー収容器は、前記廃トナー搬送管が挿入される挿入部を有することを特徴とする、請求項１に記載の画像形成装置。
【請求項６】
前記廃トナー収容器は、
前記トナー収容器を揺動可能に支持するシャフトを備え、
前記ドラムカートリッジは、
前記シャフトをガイドするガイドであって、前記廃トナー搬送管の下方を通って前記廃トナー搬送管が延びる方向に延びる直線形状のガイドを有することを特徴とする、請求項５に記載の画像形成装置。
【請求項７】
前記廃トナー搬送管は、
前記廃トナーを排出する排出口を有し、前記排出口を閉鎖する閉位置と前記排出口を開放する開位置との間を前記廃トナー搬送管が延びる方向に移動可能なシャッターを備え、
前記シャッターは、前記廃トナー収容器に接触して前記閉位置から前記開位置に移動することを特徴とする、請求項６に記載の画像形成装置。
【請求項８】
前記廃トナー収容器は、前記現像ローラが前記感光ドラムに接触する方向に向かって前記トナー収容器を押圧する押圧部材を備えることを特徴とする、請求項１から請求項７のいずれか一項に記載の画像形成装置。
【手続補正２】
【補正対象書類名】明細書
【補正対象項目名】０００９
【補正方法】変更
【補正の内容】
【０００９】
ドラムカートリッジは、感光ドラムと、クリーニング部材と、廃トナー搬送管とを備える。クリーニング部材は、感光ドラムをクリーニングする。廃トナー搬送管は、クリーニング部材によって感光ドラムから除去された廃トナーを搬送する。
【手続補正３】
【補正対象書類名】明細書
【補正対象項目名】００１１
【補正方法】変更
【補正の内容】
【００１１】
現像カートリッジは、トナー収容器と、廃トナー収容器とを備える。トナー収容器は、現像ローラを有する。現像ローラは、感光ドラムに形成された潜像をトナーで現像してトナー像を形成する。トナー収容器は、現像ローラに供給されるトナーを収容可能である。廃トナー収容器は、廃トナーを収容可能である。
【手続補正４】
【補正対象書類名】明細書
【補正対象項目名】００１４
【補正方法】変更
【補正の内容】
【００１４】
トナー収容器は、廃トナー収容器に対して揺動可能に連結されていることにより、廃トナー収容器と廃トナー搬送管とが連結された状態で、感光ドラムに対して移動可能である。
【手続補正５】
【補正対象書類名】明細書
【補正対象項目名】００１５
【補正方法】変更
【補正の内容】
【００１５】
このような構成によれば、画像形成装置は、感光ドラムとクリーニング部材とを備えるドラムカートリッジと、現像ローラを備える現像カートリッジとを備える。ドラムカートリッジがドロワに装着され、ドロワが内側位置に位置する状態で、クリーニング部材は、上下方向において、感光ドラムと定着器との間に位置する。
【手続補正６】
【補正対象書類名】明細書
【補正対象項目名】００１９
【補正方法】変更
【補正の内容】
【００１９】
また、このような構成によれば、トナー収容器は、廃トナー収容器に対して揺動可能に連結されていることにより、廃トナー収容器と廃トナー搬送管とが連結された状態で、ドラムカートリッジに対して揺動可能である。
【手続補正７】
【補正対象書類名】明細書
【補正対象項目名】００２１
【補正方法】変更
【補正の内容】
【００２１】
（２）廃トナー搬送管は、感光ドラムの回転軸が延びる軸線方向に延びる円筒形状を有してもよい。この場合、現像カートリッジは、廃トナー搬送管について回動する。
【手続補正８】
【補正対象書類名】明細書
【補正対象項目名】００２２
【補正方法】変更
【補正の内容】
【００２２】
（３）廃トナー収容器は、シャフトを備えてもよい。シャフトは、トナー収容器を揺動可能に支持する。ドラムカートリッジは、ガイドを有してもよい。ガイドは、シャフトをガイドする。ガイドは、廃トナー搬送管の下方を通って現像カートリッジの回動方向に延びる。
【手続補正９】
【補正対象書類名】明細書
【補正対象項目名】００２３
【補正方法】変更
【補正の内容】
【００２３】
（４）廃トナー搬送管は、排出口を有してもよい。排出口は、廃トナーを排出する。廃トナー搬送管は、シャッターを備えてもよい。シャッターは、排出口を閉鎖する閉位置と、排出口を開放する開位置との間を回動方向に移動可能である。また、シャッターは、切欠きを有する。廃トナー収容器は、突起を有する。突起は、シャッターの切欠きに嵌まる。シャッターは、突起が切欠きに嵌まることにより、廃トナー収容器とともに閉位置から開位置へ移動する。
【手続補正１０】
【補正対象書類名】明細書
【補正対象項目名】００２６
【補正方法】変更
【補正の内容】
【００２６】
（７）シャッターは、排出口を閉鎖する閉位置と排出口を開放する開位置との間を、廃トナー搬送管が延びる方向に移動可能であってもよい。シャッターは、廃トナー収容器に接触して、閉位置から開位置に移動する。
【手続補正１１】
【補正対象書類名】明細書
【補正対象項目名】００２７
【補正方法】変更
【補正の内容】
【００２７】
（８）廃トナー収容器は、押圧部材を備えてもよい。押圧部材は、現像ローラが感光ドラムに接触する方向に向かって、トナー収容器を押圧する。